(57)【要約】【課題】  使用時の遮光性に優れ、不使用時の収納性にも優れた、折りたたみ式立体アイマスクを提供する。【解決手段】  本発明の折りたたみ式立体アイマスクは、両横辺が張り出す形状の遮光性で可撓性の平面板状中央片と、１辺が前記中央片の張り出し辺に対応する遮光性の平面板状左右片とが、前記張り出し辺で接合されていることを特徴とする  前記中央片の下辺中央部に鼻当て片を付加すること、また、前記の各片が布製であること、がそれぞれ好ましい。【選択図】  図１
2009183353.tif 000002
【特許請求の範囲】
【請求項１】
両横辺が張り出す形状の遮光性で可撓性の平面板状中央片と、１辺が前記中央片の張り出し辺に対応する遮光性の平面板状左右片とが、前記張り出し辺で接合されていることを特徴とする折りたたみ式立体アイマスク。
【請求項２】
前記接合が縫合である請求項１に記載の折りたたみ式立体アイマスク。
【請求項３】
前記中央片の下辺中央部に鼻当て片を付加する請求項１または請求項２に記載の折りたたみ式立体アイマスク。
【請求項４】
前記の各片が布製である請求項１ないし請求項３のいずれかに記載の折りたたみ式立体アイマスク。
【発明の詳細な説明】
【技術分野】
【０００１】
本発明は、  睡眠時や休息時に、外光刺激を遮断するために、目を覆う、アイマスクに関し、特には、不使用時の収納に便利な折りたたみ式立体アイマスクに関する。
【背景技術】
【０００２】
乗り物で移動中に座席に着座しているとき、一時的に休息しているとき、また、睡眠時に入眠を助けるために周囲からの刺激を遮断したいときに、アイマスクが用いられる。
アイマスクを着用したときに、瞼やまつ毛などに触れて違和感を生じないようにするために、眼に相当する部分を前方に膨出させるものが用いられてきた（特許文献１〜３参照）。
【０００３】
特許文献１では、硬質の合成樹脂を前方へ膨出成形して、特許文献２では、目の周辺部を囲繞すべく面上に膨出された押圧部を設けることによって、また、特許文献３では、縁から内方へ向かうつまみ部を形成し、つまみ部両側にて芯地にドレープ部を形成することにより、芯地を立体化することによって、立体化させている。
しかし、これらの眼部被覆具は、それぞれ相当の厚みを有しており、不使用時にポケットやハンドバッグ等に収納するのに不便であった。
【０００４】
収納に便利なようにしたトラベル用アイマスクも試みられている（特許文献４参照）。
特許文献４においては、長方形状の一辺に台形状の突出部を設けた一枚のボール紙に適宜の折り目を付け、拡げたときに立体的に、折り畳んだときにコンパクトにするものである。
この例では、拡げたときに必ずしも顔の輪郭にヒットし難く、隙間が多くできてしまい、遮光性に優れたものとは言い難かった。
【０００５】
【特許文献１】実開平２−６５９１５号公報
【特許文献２】特開平１１−５６８９８号公報
【特許文献３】実用新案登録第３１１７７４３号公報
【特許文献４】実開昭６３−１３００２８号公報
【発明の開示】
【発明が解決しようとする課題】
【０００６】
本発明は、上記のような従来例における欠点を解消するもので、使用時の遮光性に優れ、不使用時の収納性にも優れた、折りたたみ式立体アイマスクを提供することを課題とする。
【課題を解決するための手段】
【０００７】
本発明の折りたたみ式立体アイマスクは、両横辺が張り出す形状の遮光性で可撓性の平面板状中央片と、１辺が前記中央片の張り出し辺に対応する遮光性の平面板状左右片とが、前記張り出し辺で接合されていることを特徴とする
前記中央片の下辺中央部に鼻当て片を付加すること、また、前記の各片が布製であること、がそれぞれ好ましい。
【発明の効果】
【０００８】
本発明によれば、収納時にコンパクトになり、どこへでも携行することができるものであって、使用時に顔面を押圧することもなく、更には眼鏡等を着用したままでも、また、アイメイクにも、支障なく着用できる、アイマスクとしての性能の優れたものを提供することが出来る。また、鼻当て片を設ける等により、皮膚・肌への装着感も向上させることが出来る。
【発明を実施するための最良の形態】
【０００９】
本発明は、凸辺部同士を縫合した２枚の可撓性片の縫合の対辺を拡げると、立体的な凹部空間を形成させられることを基本的に利用するものである。
図面に基づいて、本発明を詳細に説明する。
図１は、本発明の折りたたみ式立体アイマスクを構成する基本部材である中央片および左右片を縫合前の段階で示す展開説明図である。
図２は、中央片と左右片とを縫合して形成された本発明の折りたたみ式立体アイマスクを折り畳んだ、収納時の状態を示す、説明上面図である。
図３は、本発明の折りたたみ式立体アイマスクを着用した状態を示すイラストである。
図４は、鼻当て片を付加した本発明の折りたたみ式立体アイマスクの裏面を示す説明図である。
【００１０】
本発明の折りたたみ式立体アイマスク１（図２）を分解して示す図１において、２は中央片、３、４は左右片である。
中央片２は、左右辺５、６が外側に凸で、張り出す形状となっている。左右辺が直線状では、アイマスク着用時に拡げても、立体的な凹部空間が形成されず、眼や眼鏡に接触し、各辺が顔にヒットせずに隙間ができて遮光性に劣るものとなる。凸の程度を調節することにより、立体的な凹部空間の大きさ・形状が調節でき、着用感や、眼鏡を使用する場合であるか否か、等で、適宜設定する。左右辺５、６は、対称形を原則とするが、左右で形を異なることも差し支えない。横向きに眠る癖のある人には、上になる方を大きな張り出しにすることなども出来る。
【００１１】
中央片の上辺７は、着用時に額に当たるところであって、ほぼ直線状でよい。下側の縁８は、鼻の辺りに当たるもので、直線状ないし若干の張り出し状とすると良い。
左右片３、４の中央片側の辺９は、中央片２の左右辺５、６の形状に適合させる。外側横辺１０は、顳から頬骨にかけての顔の輪郭に適合するような適宜の線状にする。ほぼ直線とすることで差し支えない。そこには、耳掛け紐１１を通すための貫通筒部１２を形成すると良い。耳掛け紐１１には、紐長さを調節するビーズ１３を備えることが好ましい。
【００１２】
中央片２の左右辺５、６と、左右片３、４の中央片側の辺９、９とを縫合して、本発明の折りたたみ式立体アイマスク１が形成される。
中央片２の左右辺５、６と、左右片３、４の中央片側の辺９、９とが縫合された中央片２と左右片３、４とは、図２に示されるとおり、縫合部１４にしたがって折り畳まれ、ハンカチを畳んだくらいの大きさに重なり状態を呈する。この状態では、厚み方向の嵩張りが少なく、ハンドバッグやポケットなどへの収納に便である。
【００１３】
本発明の折りたたみ式立体アイマスクは、図３にイラストで示すように、耳掛け紐１１を利用して、眼を覆うように顔面に装着する。凸状に張り出す縫合部１４の両側に存在する中央片２と左（右）片３（４）を横方向に引っ張って押し拡げると、不変の縫合部１４の影響で、内側に大きな空間が出現し、額部に当接する中央片２の上辺（上辺７）の形状、ならびに頬上部に当接する左右片３、４の外側側辺１０、１０の形状が適切に形付けられていることと相俟って、瞼や眼鏡を押圧することなく、眼への外光刺激を有効に遮断することができる。耳掛け紐１１の長さはビーズ（１３、図３では耳の後ろに隠れている）の位置を調節する。
【００１４】
鼻は、顔面中央で“うずたかく”なっているので、アイマスクによる圧迫感が作用しやすく、また、外光が漏れ込む隙間ができやすい。中央片の下側の縁８の形状の調整で対応することが可能であるが、それは、使用者個別の対応になりやすい。鼻の頭を全て覆う程度に大きくすれば外光の漏れ込みは遮断できるが、鼻呼吸を阻害しやすくなる。
中央片２の下側の縁８の内側中央部位に、柔軟な素材による鼻当て材１５を、図４に示すように、設けることは、この問題の好適な解決策となり得る。
【００１５】
中央片、左右片の素材は、可撓性を有し、遮光性を有するものであれば、格別の制限はない。しぼが付された紙片や、布、不織紙・不織布、などが好適な素材として挙げられる。表面（外面）の意匠性と、肌に接する内面側の肌触りとを両立させるために、複数枚の素材を重ねて用いることが好ましい。紙系素材の場合には、使い捨てとなりやすいが、布系素材であれば、汗や化粧料、埃などで汚れた場合に洗濯・洗浄が可能となる。
【００１６】
上の説明では、中央片、左右片の接合は、縫合によるものとしてきたが、糊付け・接着剤接合や、超音波接合等、他の接合態様でも差し支えない。但し、糊付け・接着剤接合や超音波接合等では、接合部のごわつき感や、糊・接着材による副作用が出やすい。
中央片、左右片の端部のほつれ対策として、かがり処理やバイアステープを添え縫いする縁処理を施すことが好ましい。この場合も、糊・接着材によるほつれ対策も有り得る。
上の説明では、中央片は単片としていたが、例えば中央片を二分割し、その部分の形状を眉間から鼻頭にかけての顔面形状に適合する形状とし、不使用時にはその分割線で折り畳みコンパクト化して四十重ねのものとなるものも想定され得る。
【図面の簡単な説明】
【００１７】
【図１】本発明の折りたたみ式立体アイマスクを構成する基本部材である中央片および左右片を縫合前の段階で示す展開説明図である。
【図２】中央片と左右片とを縫合して形成された本発明の折りたたみ式立体アイマスクを折り畳んだ、収納時の状態を示す、説明上面図である。
【図３】本発明の折りたたみ式立体アイマスクを着用した状態を示すイラストである。
【図４】鼻当て片を付加した本発明の折りたたみ式立体アイマスクの裏面を示す説明図である。
【符号の説明】
【００１８】
１：  折りたたみ式立体アイマスク
２：  中央片
３、４：  左右片
５、６：  （中央片の）左右辺
７：  （中央片の）上辺
８：  （中央片の）下側の縁
９：  （左右片の中央片側の）辺
１０：  （左右片の）外側横辺
１１：  耳掛け紐
１２：  貫通筒部
１３：  ビーズ
１４：  縫合部
１５：  鼻当て材
【図１】
2009183353.tif 000003
【図２】
2009183353.tif 000004
【図３】
2009183353.tif 000005
【図４】
2009183353.tif 000006